(57)【要約】【課題】本発明は、機器収納用ラックに取り付けられる電源コンセントバーの取り付け部周辺のスペースを有効活用することを目的としている。【解決手段】本発明に係る電源コンセントバー１は、本体２とケーブル挿入部３とで構成され、ケーブル挿入部３は、ケーブル８が挿入支持可能である挿入穴７を設けると共に、取り付け穴を形成し、本体２の側面または背面のどちらにも取り付け可能とし、限られたスペースを有効に活用することを特徴とする。【選択図】図２
2006278025.tif 000002
【特許請求の範囲】
【請求項１】
複数のコンセントが装備され、端部には機器収納用ラックに取り付け可能であるように固定穴を設けた電源コンセントバーであって、該電源コンセントバーは、本体とケーブル挿入部とで構成され、前記ケーブル挿入部は、前記ケーブルが挿入支持可能である挿入穴を設けると共に、取り付け穴を形成し、前記本体の側面または背面のどちらにも取り付け可能であることを特徴とする電源コンセントバー。
【発明の詳細な説明】
【技術分野】
【０００１】
本発明は、複数のコンセントが装備され、端部には各機器収納用ラックに取り付け可能であるように固定穴を設けた電源コンセントバーに関するものである。
【背景技術】
【０００２】
機器収納用ラックの２本のマウントアングルに渡して取り付けが可能である電源コンセントバーは、本体の左右端部に取り付け穴が設けられた取り付け金具を取り付けて、取り付け穴とマウントアングルに設けられている挿通孔とを対向させそれぞれねじを挿通し締め付け固定していた。電源コンセントバーの本体側面からはケーブルが引き出される。
【０００３】
マウントアングルは断面略Ｌ字状に折曲形成されており、片側に挿通孔が設けられていて、この挿通孔に電源コンセントバーを取り付け、ケーブルを折り曲げて機器収納用ラックの内側へ導入していた。このとき、ケーブルの許容される曲げ半径を確保するために、本体に取り付けられる取り付け金具はケーブルの挿入口側を大きく形成していた。
【非特許文献１】カワムララックカタログＮＯ．８  ２００３年７月１日発行
【発明の開示】
【発明が解決しようとする課題】
【０００４】
しかしながら、上記電源コンセントバーでは、ケーブルは本体に固定の位置で挿入されているので、ケーブルを折り曲げて収納しなくてはならず、ケーブルに負荷がかかっていた。また、ケーブルの許容される曲げ半径を確保するためのスペースが必要となり、そのため、本体の左右に取り付ける取り付け金具の大きさを変えていたので、部品点数が増えると共に、部品管理の手間も煩雑なものとなっていた。
【課題を解決するための手段】
【０００５】
そこで本発明は、電源コンセントバー取り付け部周辺のスペースを有効活用することを目的とし、その構造は、電源コンセントバーは本体とケーブル挿入部とで構成され、ケーブル挿入部は、ケーブルが挿入支持可能である挿入穴を設けると共に、取り付け穴を形成し、本体の側面または背面のどちらにも取り付け可能であることを特徴とする。
【発明の効果】
【０００６】
本発明に係る電源コンセントバーは、本体とケーブル挿入部とで構成され、ケーブル挿入部は、ケーブルが挿入支持可能である挿入穴を設けると共に、取り付け穴を形成し、本体の側面または背面のどちらにも取り付け可能であるため、機器収納用ラック内に電源コンセントバーを取り付けた時にスペースに余裕のある側にケーブル挿入部を設けることができる。ケーブル挿入部を移動できるので、ケーブルを曲げずに収納できるように、電源コンセントバーを取り付けることが可能で、折り曲げたりする時の負担を軽減することができ、ケーブルもより安全に使用できる。ケーブルが引き出される部分にスペースを確保するのではなく、スペースのある部分にケーブルを引き出すことができ、スペースが有効に活用できる。
【発明を実施するための最良の形態】
【０００７】
機器収納用ラック内のスペースを有効に活用するという目的を、簡単な構造で、組み立て作業も簡単に実現した。
【実施例１】
【０００８】
本発明に係る電源コンセントバーの実施例１を図１〜２の添付図面に基づいて説明する。
【０００９】
電源コンセントバー１は本体２とケーブル挿入部３とを別部品にて構成する。本体２は略箱体形状をしており、本体２の前面側には複数のコンセント４を装備し、両端には固定穴５を設けた取り付け金具６を取り付けている。
【００１０】
ケーブル挿入部３は、ケーブル挿入穴７を設け、ケーブル８が挿入支持可能になっている。また、ケーブル挿入部３にはねじ穴９が設けられていて、本体２へはねじ止めにより固定される。
【００１１】
機器収納用ラックにはポストが設けられている。また、電源コンセントバー１の本体２側面端部近傍にはケーブル挿入部３取り付け用の取り付け穴１０が設けられる。電源コンセントバー１を機器収納用ラックのポストに縦方向に取り付ける場合には、ケーブル挿入部３を本体２の上下どちらかの側面部に取り付ける。本体２に設けられた取り付け穴１０とケーブル挿入部３に設けられたねじ穴９とを対向させ、ねじ１１を挿通し締め付け固定する。本体２に取り付けられた取り付け金具６の固定穴５とポストに設けられている挿通穴とを対向させねじ止めし、電源コンセントバー１を機器収納用ラックに取り付け、ケーブル８は上下いずれかの側面部から引き出す。
【実施例２】
【００１２】
本発明に係る電源コンセントバーの実施例２を図３〜４の添付図面に基づいて説明する。
【００１３】
電源コンセントバー１は本体２とケーブル挿入部３とを別部品にて構成する。本体２は略箱体形状をしており、本体２の前面側には複数のコンセント４を装備し、両端には固定穴５を設けた取り付け金具６を取り付けている。
【００１４】
ケーブル挿入部３は、ケーブル挿入穴７を設け、ケーブル８が挿入支持可能になっている。また、ケーブル挿入部３にはねじ穴９が設けられていて、本体２へはねじ止めにより固定される。
【００１５】
機器収納用ラックはマウントアングル１２が設けられ、マウントアングル１２には挿通孔１３を形成している。電源コンセントバー１の本体２の背面側近傍にはケーブル挿入部３取り付け用の取り付け穴１４が設けられる。電源コンセントバー１を機器収納用ラックのマウントアングル１２に渡して横方向に取り付ける場合には、ケーブル挿入部３を本体２の背面側に取り付ける。本体２に設けられた取り付け穴１４とケーブル挿入部３に設けられたねじ穴９とを対向させ、ねじ１１を挿通し締め付け固定する。電源コンセントバー１の本体２の両端に、固定穴５を設けた取り付け金具６と、マウントアングル１２の挿通孔１３とを対向させそれぞれにねじ止めし、締め付け固定することで電源コンセントバー１を機器収納用ラックに取り付ける。
【００１６】
ケーブル挿入部は本体とは別部品であるため、取り外しが可能であり、ケーブル挿入部を一旦取り外した後、位置を変えて取り付けが可能である。例えば、機器収納用ラックのマウントアングル１２に渡して横方向に取り付ける時のように、本体２の背面側に取り付け直すと、機器収納用ラックの内側へ向かってケーブルを折り曲げることなく引き出すことができるようになる。
【産業上の利用可能性】
【００１７】
同じ電源コンセントバーを取り付け場所に応じてケーブルの挿入場所を変更することで、機器収納用ラック内での取り付け位置を限定させずに機器収納用ラックの限られたスペースを有効に活用したい場合に適用できる。
【図面の簡単な説明】
【００１８】
【図１】本発明に係る電源コンセントバーのポスト取り付けの場合の実施方法を示した説明図である。（実施例１）
【図２】図１におけるケーブル挿入部の取り付け方法を示した説明図。（実施例１）
【図３】本発明に係る電源コンセントバーのマウントアングル取り付けの場合の実施方法を示した説明図である。（実施例２）
【図４】図３におけるケーブル挿入部の取り付け方法を示した説明図。（実施例２）
【符号の説明】
【００１９】
１    電源コンセントバー
２    本体
３    ケーブル挿入部
４    コンセント
５    固定穴
６    取り付け金具
７    ケーブル挿入穴
８    ケーブル
９    ねじ穴
１０  取り付け穴
１１  ねじ
１２  マウントアングル
１３  挿通孔
１４  取り付け穴
【図１】
2006278025.tif 000003
【図２】
2006278025.tif 000004
【図３】
2006278025.tif 000005
【図４】
2006278025.tif 000006